(57)【要約】【課題】テンションコームを通過する髪に十分な通過抵抗を与えて髪を効果的にカールでき、しかも毛先まで確実にカールできるヘアーセッターを提供する。【解決手段】ブローブラシ２のブラシ枠２５の側面に沿ってテンションコーム２６を設ける。テンションコーム２６は、リブ４１・４２・４３を所定間隔おきに配置して構成する。各リブ４１・４２・４３の間に髪梳き通路５０を形成し、髪梳き通路５０の出口４８に臨むブラシ枠２５の側面に、ブラシ枠２５の内面へ向かって凹む逃げ凹面３４を形成する。各リブ４１・４２・４３の出口寄り部分が、逃げ凹面３４の外面に突出している。【選択図】図５
2011183221.tif 000002
【特許請求の範囲】
【請求項１】
セッター本体（１）と、セッター本体（１）の一側に設けられて髪をブラッシングできるブローブラシ（２）とを備えており、
ブローブラシ（２）は、周面に一群のブリッスル（２４）を配置しているブラシ枠（２５）と、ブラシ枠（２５）の側面に沿って設けられるテンションコーム（２６）とを含み、
テンションコーム（２６）が、リブ（４１・４２・４３）を所定間隔おきに配置して構成されており、
各リブ（４１・４２・４３）の間に髪梳き通路（５０）が形成されており、
髪梳き通路（５０）の出口（４８）に臨むブラシ枠（２５）の側面に、ブラシ枠（２５）の内面へ向かって凹む逃げ凹面（３４）が形成されていることを特徴とするヘアーセッター。
【請求項２】
各リブ（４１・４２・４３）の出口寄り部分が、逃げ凹面（３４）の外面に突出していることを特徴とする請求項２に記載のヘアーセッター。
【請求項３】
各リブ（４１・４２・４３）の間に髪導入部（４４）と、髪に抵抗を与える隘路部（４５）とを備えた髪梳き通路（５０）を形成していることを特徴とする請求項１または２に記載のヘアーセッター。
【請求項４】
髪導入部（４４）を、リブ（４１・４２・４３）の隣接面を髪梳き通路（５０）の入口（４７）へ向かって先拡がり状に傾斜させてハ字状に形成していることを特徴とする請求項３に記載のヘアーセッター。
【請求項５】
各髪梳き通路（５０）の隘路部（４５）が、ブローブラシ（２）の軸方向に直線列状に並ぶように配置されており、
隘路部（４５）から入口端までの各リブ（４１・４２）の長さ（Ｇ１・Ｇ２）を大小に異ならせており、
隘路部（４５）から入口端までの長さ（Ｇ１）が大きなリブ（４１）と、隘路部（４５）から入口端までの長さ（Ｇ２）が小さなリブ（４２）とを、リブ列に沿って配置していることを特徴とする請求項３または４に記載のヘアーセッター。
【請求項６】
隘路部（４５）から入口端までの長さ（Ｇ１）が大きなリブ（４１）のブラシ枠（２５）の側面からの突出寸法（Ｌ１）を、隘路部（４５）から入口端までの長さ（Ｇ２）が小さなリブ（４２）のブラシ枠（２５）の側面からの突出寸法（Ｌ２）より大きく設定していることを特徴とする請求項５に記載のヘアーセッター。
【請求項７】
髪梳き通路（５０）の出口（４８）と隘路部（４５）との間に、出口（４８）へ向かって先拡がり状に傾斜する第２髪導入部（４６）を形成していることを特徴とする請求項３から６のいずれかひとつに記載のヘアーセッター。
【請求項８】
各リブ（４１・４２・４３）を、入口端を頂部とする三角形と、出口端を頂部とする三角形とで、ブラシ枠（２５）の長手軸と交差する方向へ長いダイヤ形状に形成していることを特徴とする請求項７に記載のヘアーセッター。
【請求項９】
各リブ（４１・４２・４３）の隘路部（４５）から入口端までの長さ（Ｇ１・Ｇ２・Ｇ３）と、各リブ（４１・４２・４３）の隘路部（４５）から出口端までの長さ（Ｈ１・Ｈ２・Ｈ３）とを順次異ならせて、各リブ（４１・４２・４３）の入口端および出口端を結ぶ仮想外郭線を波形に連続させていることを特徴とする請求項７または８に記載のヘアーセッター。
【発明の詳細な説明】
【技術分野】
【０００１】
本発明は、ブローブラシを備えているヘアーセッターに関する。ブローブラシの周面にブリッスルの一群が設けてあり、主に髪をブラッシングする際に使用する。
【背景技術】
【０００２】
この種のヘアーセッターにおいて、ブローブラシの左右側面に沿ってテンションコームを設けることは、例えば特許文献１に見ることができる。そこでは、格子状の吹出口の一群を備えた中空筒状のブラシ枠の周面一側に、軟質樹脂製のブラシユニットを配置している。ブラシユニットの外面には一群のブリッスルが、さらにブラシユニットの両側面にはテンションコームが、それぞれ一体に形成してある。
【０００３】
テンションコームは、ブラシ枠の側方に突出する三角形状の櫛歯体と、櫛歯体の頂部に設けられる球体とで構成してあり、櫛歯体はブラシ枠の中心軸線と直交する平面と平行になる状態で一定間隔おきに配置してある。特許文献２においては、テンションコームに相当する突起を、ブローブラシの左右側面に沿って設けている。先の突起はブラシ枠と一体に形成してある。
【先行技術文献】
【特許文献】
【０００４】
【特許文献１】特許第３６２７１６６号公報（段落番号００１５、図５）
【特許文献２】特開昭５３−７１９７５号公報（第２頁左上欄４〜７行、第２図）
【発明の概要】
【発明が解決しようとする課題】
【０００５】
本発明の目的は、髪を確実に捕捉して張力を作用させることができるヘアーセッターを提供することにある。
【課題を解決するための手段】
【０００６】
本発明に係るヘアーセッターは、セッター本体１と、セッター本体１の一側に設けられて髪をブラッシングできるブローブラシ２とを備えており、ブローブラシ２は、周面に一群のブリッスル２４を配置しているブラシ枠２５と、ブラシ枠２５の側面に沿って設けられるテンションコーム２６とを含む。テンションコーム２６が、リブ４１・４２・４３を所定間隔おきに配置して構成されており、各リブ４１・４２・４３の間に髪梳き通路５０が形成されている。髪梳き通路５０の出口４８に臨むブラシ枠２５の側面に、ブラシ枠２５の内面へ向かって凹む逃げ凹面３４が形成されていることを特徴とする。
【０００７】
各リブ４１・４２・４３の出口寄り部分が、逃げ凹面３４の外面に突出していることを特徴とする。
【０００８】
各リブ４１・４２・４３の間に髪導入部４４と、髪に抵抗を与える隘路部４５とを備えた髪梳き通路５０を形成している。
【０００９】
髪導入部４４を、リブ４１・４２・４３の隣接面を髪梳き通路５０の入口４７へ向かって先拡がり状に傾斜させてハ字状に形成している。
【００１０】
各髪梳き通路５０の隘路部４５が、ブローブラシ２の軸方向に直線列状に並ぶように配置されている。隘路部４５から入口端までの各リブ４１・４２の長さＧ１・Ｇ２を大小に異ならせており、隘路部４５から入口端までの長さＧ１が大きなリブ４１と、隘路部４５から入口端までの長さＧ２が小さなリブ４２とを、リブ列に沿って配置している。
【００１１】
隘路部４５から入口端までの長さＧ１が大きなリブ４１のブラシ枠２５の側面からの突出寸法Ｌ１を、隘路部４５から入口端までの長さＧ２が小さなリブ４２のブラシ枠２５の側面からの突出寸法Ｌ２より大きく設定している。
【００１２】
髪梳き通路５０の出口４８と隘路部４５との間に、出口４８へ向かって先拡がり状に傾斜する第２髪導入部４６を形成している。
【００１３】
各リブ４１・４２・４３を、入口端を頂部とする三角形と、出口端を頂部とする三角形とで、ブラシ枠２５の長手軸と交差する方向へ長いダイヤ形状に形成している。
【００１４】
各リブ４１・４２・４３の隘路部４５から入口端までの長さＧ１・Ｇ２・Ｇ３と、各リブ４１・４２・４３の隘路部４５から出口端までの長さＨ１・Ｈ２・Ｈ３とを順次異ならせて、各リブ４１・４２・４３の入口端および出口端を結ぶ仮想外郭線を波形に連続させている。
【発明の効果】
【００１５】
本発明においては、髪梳き通路５０の出口４８に臨むブラシ枠２５の側面に、ブラシ枠２５の内面へ向かって凹む逃げ凹面３４を形成すると、ブローブラシ２を回転してテンションコーム２６を髪に食い込ませる際に、髪を逃げ凹面３４側へ受け入れて、各リブ４１・４２・４３による髪の捕捉をさらに確実に行なうことができる。したがって、従来のテンションコームを備えたブローブラシに比べて、髪をテンションコーム２６でさらに確実に捕捉して、ブラッシング時の髪に充分な張力を付与し、カール処理を効果的に行なうことができる。
【００１６】
各リブ４１・４２・４３の出口寄り部分が逃げ凹面３４の外面に突出してあると、他に先行して各リブ４１・４２・４３の突出部分を髪に食い込ませながら、髪を毛先までブローブラシ２の周面に効果的に巻き込むことができる。これにより、髪を内巻きカールや外巻きカールなどに、自由にしかも的確にカール処理することができる。
【００１７】
本発明においては、リブ４１・４２・４３を所定間隔おきに配置してテンションコーム２６を構成し、各リブ４１・４２・４３の間に髪導入部４４と、髪に抵抗を与える隘路部４５とを備えた髪梳き通路５０を形成するようにした。このように、髪梳き通路５０に隘路部４５を設けると、各リブ（コーム）４１・４２・４３で梳かれながら隘路部４５を通過する髪束に対して十分な通過抵抗を与えることができる。したがって、本発明のヘアーセッターによれば、髪を加熱しながらブラッシングできるのはもちろん、ブローブラシ２を一方向へ回転させながら髪を梳くことにより、テンションコーム２６で髪に確実に張力を付与して効果的にカール処理できる。しかも、髪束の太さが徐々に減少する毛先部分においても髪を隘路部４５で確実に捕捉して、毛先まで確実にカールさせることができる。
【００１８】
髪梳き通路５０に臨む各リブ４１・４２・４３の隣接面を、髪梳き通路５０の入口４７へ向かって傾斜させるようにすると、ブリッスル２４で梳き流れた髪を各リブ４１・４２・４３の隣接面で隘路部４５へ向かって案内でき、通常通りブラッシング動作を行なうだけで、髪に通過抵抗を与えて、効果的にカール処理できる。
【００１９】
髪導入部４４を、髪梳き通路５０の入口４７へ向かって先拡がり状に傾斜させてハ字状に形成すると、髪梳き通路５０に導入された髪束を効果的に隘路部４５へ移行案内して、髪に通過抵抗を作用させることができ、髪束および髪束の毛先まで確実にカール処理することができる。
【００２０】
隘路部４５から入口端までの長さＧ１・Ｇ２が大小に異なるリブ４１・４２を、リブ列に沿って配置すると、長さが短いリブ４２に先行して、長さが長いリブ４１で髪を捕捉できる。したがって、髪が両リブ４１・４２の間の隘路部４５を通過するとき、髪が横ずれするのを長さが長いリブ４１で規制して、髪を効果的にカールできる。
【００２１】
長さＧ１・Ｇ２が大小に異ならせてあるリブ４１・４２の、ブラシ枠２５の側面からの突出寸法Ｌ１・Ｌ２が大小に異ならせてあると、突出寸法Ｌ１が大きなリブ４１によって髪を捕捉できるので、髪が隣接するリブ４１・４２の間の隘路部４５を通過するときの髪の横ずれを規制できる。
【００２２】
入口端までの長さＧ１が大きなリブ４１のブラシ枠２５の側面からの突出寸法Ｌ１を、入口端までの長さＧ１が小さなリブ４２のブラシ枠２５の側面からの突出寸法Ｌ２より大きく設定すると、隘路部４５から入口端までの長さＧ１を大きくすることによる髪の捕捉作用と、ブラシ枠２５の側面からの突出寸法Ｌ１を大きくすることによる髪の捕捉作用とを同時に発揮して髪をさらに確実に捕捉できる。したがって、カール処理時の髪の横ずれをさらに確実に規制できる。また、髪量が多い場合の髪の横ずれもよく防止できることとなる。
【００２３】
髪梳き通路５０の出口４８と隘路部４５との間に、出口４８へ向かって先拡がり状に傾斜する第２髪導入部４６を形成すると、ブローブラシ２を一方向へ回転しながら髪を梳く場合と、ブローブラシ２を逆向きに回転しながら髪を梳く場合との、いずれの場合にも髪を第１・第２の髪導入部４４・４６で隘路部４５へ確実に移行案内できる。これによりブローブラシ２を正逆双方向へ回転操作して、往復でカール処理を行なうことができる。
【００２４】
入口側の第１髪導入部４４に臨む各リブ４１・４２の正対形状を、三角形状に形成すると、各リブ４１・４２と、隣接するリブの間に形成される隘路部４５の構造強度を高めて、充分な通過抵抗を付与することで髪を効果的にカール変形することができる。また、傾斜面からなる第１髪導入部４４で髪を隘路部４５へ向かって円滑に移行案内しながら、髪に対して充分な通過抵抗を付与できる。
【００２５】
各リブ４１・４２の正対形状を三角形状に形成するテンションコーム２６において、各リブ４１・４２のリブ列方向の隣接ピッチＰと、各リブ４１・４２の隘路部４５におけるリブ幅寸法Ｂをそれぞれ等しく設定すると、隘路部４５の構造強度を向上しながら、リブ列方向の任意の位置における隘路部４５の通過抵抗を均等化できる。また、隘路部４５から入口端までの長さＧ１・Ｇ２が大小に異なる各リブ４１・４２を、リブ列に沿って配置すると、長さが短いリブ４２に先行して、長さが長いリブ４１で髪を捕捉できる。したがって、髪が両リブ４１・４２の間の隘路部４５を通過するとき、髪が横ずれするのを長さが長いリブ４１で規制して、髪を効果的にカールできる。
【００２６】
各リブ４１・４２・４３を、入口端を頂部とする三角形と、出口端を頂部とする三角形とで、ブラシ枠２５の長手軸と交差する方向へ長いダイヤ形状に形成すると、各リブ４１・４２・４３と、隣接するリブの間に形成される隘路部４５の構造強度を高めて、充分な通過抵抗を付与しながら髪を効果的にカール変形することができる。また、ブローブラシ２を一方向へ回転しながら髪を梳く場合と、ブローブラシ２を逆向きに回転しながら髪を梳く場合との、いずれの場合にも髪を第１・第２の髪導入部４４・４６で隘路部４５へ確実に移行案内できる。したがって、ブローブラシ２を正逆双方向へ回転操作して、往復でカール処理を行なうことができる。
【００２７】
各リブ４１・４２・４３をダイヤ形状に形成するテンションコーム２６において、各リブ４１・４２・４３の隘路部４５から入口端までの長さＧ１・Ｇ２・Ｇ３と、出口端までの長さＨ１・Ｈ２・Ｈ３とを順次異ならせて、各リブ４１・４２・４３の入口端および出口端を結ぶ仮想外郭線を波形に連続させると、隣接する各リブ４１・４２・４３の間で髪の横ずれを規制しながら、同時に長さが大きなリブの間で髪が横ずれするのを規制できる。したがって、髪を効果的にカールさせて、一連のカール作業を速やかに、しかもより効果的に行なうことができる。
【図面の簡単な説明】
【００２８】
【図１】ヘアーセッターの側面図である。
【図２】ヘアーセッターの正面図である。
【図３】ブローブラシを破断した状態で示すヘアーセッターの側面図である。
【図４】ブローブラシの分解断面図である。
【図５】図３におけるＡ−Ａ線断面図である。
【図６】ブリッスルを破断した状態のブローブラシの正面図である。
【図７】ヘアーセッターの使用例を示す説明図である。
【図８】テンションコームの作用を示す説明図である。
【図９】テンションコームの別の実施例を示す配置説明図である。
【図１０】テンションコームの別の実施例を示す配置説明図である。
【図１１】テンションコームの別の実施例を示す配置説明図である。
【図１２】テンションコームの別の実施例を示す配置説明図である。
【図１３】テンションコームの別の実施例を示す配置説明図である。
【図１４】テンションコームの別の実施例を示す配置説明図である。
【図１５】テンションコームの別の実施例を示す配置説明図である。
【図１６】テンションコームの別の実施例を示す配置説明図である。
【図１７】テンションコームの別の実施例を示す配置説明図である。
【図１８】テンションコームの別の実施例を示す配置説明図である。
【図１９】テンションコームの別の実施例を示す配置説明図である。
【図２０】テンションコームの別の実施例を示す配置説明図である。
【図２１】テンションコームの別の実施例を示す配置説明図である。
【図２２】テンションコームの別の実施例を示す配置説明図である。
【図２３】テンションコームの別の実施例を示す配置説明図である。
【図２４】テンションコームの別の実施例を示す配置説明図である。
【図２５】テンションコームの別の実施例を示す配置説明図である。
【発明を実施するための形態】
【００２９】
（実施例）  図１ないし図８は本発明に係るヘアーセッターの実施例を示す。図２においてヘアーセッターは、上下に長いセッター本体１と、セッター本体１に交換装着されるブローブラシ２とからなる。ブローブラシ２は、図示していないロールブローブラシやノズルなどと共にアタッチメントを構成しており、それぞれ髪処理の内容に応じてセッター本体１に交換装着して使用される。なお、本発明においては、図２および図３に示す交差矢印と前後、左右、上下の表示に従って前後、左右、上下を特定する。
【００３０】
図２および図３に示すように、セッター本体１は、筒状の本体ケース５の内部に送風ファン６やヒーター７などを配置し、吹出口８の側にイオン発生用の放電ユニットを備えた放電体９を配置して構成してある。グリップを兼ねるセッター本体１の上部側面には、送風ファン６のモーター１０やヒーター７への通電状態を切り換えるスイッチノブ１２と、吹出口８の周囲の連結部１３に連結したアタッチメントを取り外すためのロック解除用のボタン１４とが設けてある。ブローブラシ２は、連結部１３に交換装着されてセッター本体１と一体化される。符号１５は吸込口である。
【００３１】
図３において、放電体９は丸筒状の中空体で形成してあり、その周囲壁に円形の４個のイオン送出口１８と、長穴状の一群の通気口１９とがそれぞれ開口してある。吹出口８から吹き出された温風（あるいは冷風）の一部は、放電体９の内部に入り込み、通気口１９を介して周囲に吹き出され、同時にイオン送出口１８からマイナスイオンが放出される。また、吹出口８から吹き出された温風の一部は、放電体９の外面に沿って流動する。各イオン送出口１８に臨む放電体９の内部には、中央電極２０と周囲電極２１とからなる放電ユニットが配置してある（図５参照）。放電ユニットに高電圧のパルス電流を供給するイオン発生ユニットは本体ケース５の内部に収容してある。
【００３２】
図１に示すようにブローブラシ２は、前面に温風（または冷風）の吹出口２３と一群のブリッスル２４とが配置してある中空のブラシ枠２５と、ブラシ枠２５の左右両側面に沿って設けられるテンションコーム２６とを備えている。ブラシ枠２５は、前面側のブラシホルダー２８と、ブラシホルダー２８の後面を覆うカバー２９とで中空筒状に形成してあり、ブラシホルダー２８の前外面に、一群のブリッスル２４を支持するシリコン樹脂製のブラシベース３０が固定してある（図４参照）。ブラシ枠２５の下端には、先の連結部１３に外嵌装着される連結筒３１が設けてある。連結筒３１の内面の対向２個所には、先のロック解除用のボタン１４で操作されるロック爪３２（図３参照）と係合する係合凹部３３が形成してある。また、連結筒３１の前面上部には、ブリッスル２４の側へ向かって温風を吹き出す補助吹出口３５が開口してある。
【００３３】
図５および図６に示すように、ブラシホルダー２８およびブラシベース３０の壁面には、縦長溝状の吹出口２３の一群が縦方向の直線列状に開口してあり、各吹出口列を間に挟む状態で一群のブリッスル２４が設けてある。ブリッスル２４は縦列ごとに一体に成形されたプラスチック成形品からなり、ブラシベース３０に対してその内面側から組み付けられて、ブラシベース３０の前面外方へ突出している。ブラシベース３０は、その左右両側がブラシホルダー２８とカバー２９とで挟持固定されて、ブラシ枠２５と一体化してある（図５参照）。ブラシホルダー２８とカバー２９とは図４に示すビス３６で締結固定される。図５に示すようにカバー２９のブラシホルダー２８との接合部分には、逃げ凹面３４がブラシ枠２５の内面へ向かって凹む状態で形成してある。その意味は後述する。
【００３４】
ブラシベース３０の左右中央部分には、上下一対のイオン出口３７を備えた縦長の出口ピース３８が装着してある。上下のイオン出口３７は、放電体９の前面側のイオン送出口１８と対向する状態で設けてあり、したがって、一群の吹出口２３から温風を送給する状態では、マイナスイオンをイオン出口３７から同時に送出して、髪を潤いのある状態に保持できる。
【００３５】
髪をカール処理する際に、ブローブラシ２で梳き流される髪をより的確に捕捉してカール効果を向上するために、ブラシ枠２５の両側面にテンションコーム２６を設けている。図１に示すように、テンションコーム２６は、前後長さが異なる第１リブ（リブ）４１、第２リブ（リブ）４２、第３リブ（リブ）４３を所定間隔おきに配置して構成してある。各リブ４１・４２・４３はテンションコーム２６のコームを構成しており、ブラシベース３０と一体に成形してある。第１〜第３の各リブ４１・４２・４３は、ブラシ枠２５の側面と正対する状態で、前すぼまり状の二等辺三角形と後すぼまり状の二等辺三角形とで、ブラシ枠２５の長手軸と直交する方向へ引き伸ばされたダイヤ形状に形成する。各リブ４１・４２・４３の前後長さは一定である。
【００３６】
上記のように第１〜第３の各リブ４１・４２・４３を、前後方向へ長いダイヤ形状に形成することにより、隣接するリブ４１・４２・４３の間に髪梳き通路５０が形成される。図１に示すように、髪梳き通路５０は、ブリッスル２４に近い側（前側）の第１髪導入部（髪導入部）４４と、テンションコーム２６で梳き流される髪に抵抗を与える隘路部４５と、逃げ凹面３４に近い側（後側）の第２髪導入部（髪導入部）４６とで構成してある。符号４７は第１髪導入部４４の髪の入口であり、符号４８は第２髪導入部４６の髪の出口である。各髪梳き通路５０の隘路部４５は、ブローブラシ２の軸方向に直線列状に並ぶように配置してある。
【００３７】
第１髪導入部４４は、髪梳き通路５０の入口４７へ向かって前拡がり状に傾斜する、各リブ４１・４２・４３の隣接面によってハ字状に形成してある。また、第２髪導入部４６は、髪梳き通路５０の出口４８へ向かって後拡がり状に傾斜する、各リブ４１・４２・４３の隣接面によって、第１髪導入部４４とは逆向きのハ字状に形成してある。カバー２９のブラシホルダー２８との接合縁には逃げ凹面３４が凹み形成してあるので、第２髪導入部４６に臨む第１〜第３の各リブ４１・４２・４３の後半部は、図５に示すようにそれぞれ逃げ凹面３４の外面に突出している。
【００３８】
先に説明したように、髪梳き通路５０の隘路部４５は、ブローブラシ２の軸方向に直線列状に並ぶ状態で配置してあり、第１〜第３の各リブ４１・４２・４３の前後長さは一定である。しかし、図１に示すように各リブ４１・４２・４３における隘路部４５から入口端までの長さＧ１・Ｇ２・Ｇ３と、各リブ４１・４２・４３における隘路部４５から出口端までの長さＨ１・Ｈ２・Ｈ３とは、順次異ならせてある。詳しくは（Ｇ１＞Ｇ２＞Ｇ３）とし、（Ｈ１＜Ｈ２＜Ｈ３）としている。このように、ダイヤ形状が異なる各リブを、第１リブ４１、第２リブ４２、第３リブ４３、第２リブ４２、第１リブ４１の順に配置することにより、図１に示すように、各リブ４１・４２・４３の入口端および出口端を結ぶ仮想外郭線が波形に連続するようにテンションコーム２６を構成している。
【００３９】
また、カール処理する際に髪が横ずれするのを規制するために、第１〜第３の各リブ４１・４２・４３の、ブラシ枠２５の側面からの突出寸法Ｌ１・Ｌ２・Ｌ３を大小に異ならせている。詳しくは、図６に示すように（Ｌ１＞Ｌ２＞Ｌ３）として、各リブ４１・４２・４３の突出寸法Ｌ１・Ｌ２・Ｌ３を、各リブ４１・４２・４３における隘路部４５から入口端までの長さＧ１・Ｇ２・Ｇ３の違いに比例させている。なお、各リブ４１・４２・４３のリブ列方向の隣接ピッチＰは等しく設定されており、各リブ４１・４２・４３の隘路部４５におけるリブ幅寸法Ｂは等しく設定してある（図１参照）。また、各リブ４１・４２・４３のリブ列方向の隣接ピッチＰは、ブリッスル２４の隣接ピッチと同じであり、したがって隘路部４５の隣接間隔はブリッスル２４の隣接間隔より小さくなる。
【００４０】
以上の様に構成したヘアーセッターは、次の要領で使用する。まず、ブローブラシ２を放電体９に外嵌する状態で装着し、その連結筒３１を連結部１３に外嵌装着して、ロック爪３２で分離不能にロック固定する。この状態では、図３に示すように基端側の連結筒３１が連結部１３で支持され、さらにカバー２９の内面に設けた左右一対の板状リブ５３が、放電体９の上端の突起５４で支持されるので、ブローブラシ２をぐらつく余地のない状態で確りと固定できる。
【００４１】
上記の状態でスイッチノブ１２をオン操作して、温風を吹出口８および放電体９の周囲からブラシ枠２５の内部に吹き出し供給する。また、放電体９からマイナスイオンを放出して、温風と共にブリッスル２４で捕捉された髪に送給する。この状態のヘアーセッターで例えば図７に示すように側頭部の髪を内巻きカール状にくせ付けする。詳しくは、ブローブラシ２をそのブリッスル２４が外向きになる状態で髪の内面に差し込んだのち、ヘアーセッターの全体を矢印Ｍ方向へ回転操作して髪をブローブラシ２の周囲に巻き込む。その状態で、吹出口２３から吹き出される温風で髪を加熱しながら毛先へ向かって梳き流す。このとき、テンションコーム２６で髪に通過抵抗を与えて、髪が巻き締まる向きの張力を作用させ、より確実にカール変形できるようにする。
【００４２】
詳しくは図８に示すように、髪は隣接するブリッスル２４で梳き分けられたのち、ブローブラシ２の周囲に巻き込まれるのに伴ない、隣接する第１〜第３の各リブ４１・４２・４３の間の髪梳き通路５０へと導入される。髪は、第１髪導入部４４において、各リブ４１・４２・４３の対向面に案内されて隘路部４５で絞られる。そのため、髪梳き通路５０を通過する髪には、隘路部４５で髪梳き方向と逆向きの通過抵抗が付与され、加熱作用と引っ張り力とによって髪を的確にカール変形することができる。隘路部４５で髪を絞るので、ブリッスル２４で捕捉した髪束の太さが徐々に減少する毛先部分においても、髪に引っ張り力を作用させて、確実にカール処理することができる。
【００４３】
なお、第２髪導入部４６は、ブローブラシ２を先に説明した方向とは逆向きに梳き流す際に、髪を隘路部４５へ向かって導入案内するために設けてあり、これによりブローブラシ２を矢印Ｍ方向と、逆方向とに回転操作して往復でカール処理を行なうことができる。また、各リブ４１・４２・４３の入口端および出口端を結ぶ仮想外郭線が波形に連続するようにテンションコーム２６を構成し、さらに各リブ４１・４２・４３の突出寸法Ｌ１・Ｌ２・Ｌ３を異ならせることにより、髪が横ずれするのを規制して確実にカールできる。とくにユーザーの髪量が多い場合や、髪の梳き流し方向と隣接する各リブ４１・４２・４３長手方向中心線とが斜めになるような場合であっても、髪の横ずれをよく防止して確実にカール処理できる。
【００４４】
さらに、カバー２９の接合縁に逃げ凹面３４を凹み形成し、第１〜第３の各リブ４１・４２・４３を逃げ凹面３４の外面に突出させるので、髪をブローブラシ２の周囲に巻き込む際に各リブ４１・４２・４３で髪を的確に捕捉して通過抵抗を付与し、的確にカール変形させることができる。とくに、第２髪導入部４６を髪にあてがった状態で、ブローブラシ２を回転してテンションコーム２６からブリッスル２４にわたって髪を巻き込む場合には、逃げ凹面３４に突出する各リブ４１・４２・４３で髪を確実に捕捉して、髪に充分な張力を作用させて、カール処理を好適に行なうことができる。因みに、逃げ凹面３４を備えていないブラシ枠２５の場合には、髪がカバー２９の側面で受け止められるため、各リブ４１・４２・４３で髪を充分に捕捉するのが難しくなる。
【００４５】
テンションコーム２６は、各リブの構造を図９ないし図２５に示すように変更して実施することができる。図９ないし図２５においては、上記の実施例との相違点を主に説明し、他は同じ部材に同じ符号を付してその説明を省略する。
【００４６】
図９においては、ダイヤ形状が異なる３種のリブを、第１リブ４１、第２リブ４２、第３リブ４３、第３リブ４３、第２リブ４２、第１リブ４１の順に配置して、各リブ４１・４２・４３の入口端および出口端を結ぶ仮想外郭線が波形に連続するようにテンションコーム２６を構成した。第１〜第３の各リブ４１・４２・４３の、ブラシ枠２５の側面からの突出寸法Ｌ１・Ｌ２・Ｌ３は（Ｌ１＞Ｌ２＞Ｌ３）として、各リブ４１・４２・４３における隘路部４５から入口端までの長さＧ１・Ｇ２・Ｇ３の違いに比例させた。
【００４７】
図１０においては、ダイヤ形状が異なる４種のリブを、第１リブ４１、第２リブ４２、第３リブ４３、第４リブ７０、第３リブ４３、第２リブ４２、第１リブ４１の順に配置して、各リブ４１・４２・４３・７０の入口端および出口端を結ぶ仮想外郭線が波形に連続するようにテンションコーム２６を構成した。この場合にも、第１〜第４の各リブ４１〜４３、７０の、ブラシ枠２５の側面からの突出寸法を（Ｌ１＞Ｌ２＞Ｌ３＞Ｌ４）として、各リブ４１・４２・４３における隘路部４５から入口端までの長さＧ１・Ｇ２・Ｇ３・Ｇ４の違いに比例させた。この実施例から理解できるように、リブ列を構成するリブの種類や数は、自由に設定できる。
【００４８】
図１１においては、図１で説明した第１〜第３の各リブ４１・４２・４３のリブ配列において、第３リブ４３を省略した。また、第１リブ４１と第２リブ４２の隣接ピッチＰは等しく設定し、隣接する第２リブ４２どうしの隣接ピッチを先の隣接ピッチＰより大きく（２倍に）設定して、隘路部２５の間隔が大小に異なるようにした。このように、各リブ４１・４２・４３の隣接ピッチは必ずしも同じである必要はない。また、各リブ４１・４２・４３の隣接ピッチは少しずつ異なっていてもよい。さらに、ひとつおきに隣接するリブのピッチ、あるいは複数個おきに隣接するリブのピッチがそれぞれ異なっていてもよい。
【００４９】
図１２においては、隘路部４５から入口端までの長さＧが異なる２種類のリブ、詳しくは、二等辺三角形状の第１リブ４１と、正三角形状の第２リブ４２でテンションコーム２６を構成した。また、第１リブ４１と第２リブ４２を一対とするリブ対を一定間隔おきに配置して、各リブ対を構成する第１リブ４１と第２リブ４２の隣接ピッチが、場所によって大小に異なるようにした。このように各リブ４１・４２を三角形状に形成すると、リブ全体と隘路部４５の構造強度を向上して、髪に対して的確に通過抵抗を付与できる。第１リブ４１と第２リブ４２は、実線および想像線で示すように、一定の隣接ピッチで交互に配置することができる。
【００５０】
図１３においては、隘路部４５から入口端までの長さＧが同じ１種類の第１リブ４１のみでテンションコーム２６を構成した。第１リブ４１は二等辺三角形に構成し、一定の隣接ピッチで直線列状に配置している。このように第１リブ４１を三角形状に形成すると、リブ全体と隘路部４５の構造強度を向上して、髪に的確に通過抵抗を付与できる。
【００５１】
図１４においては、隘路部４５から入口端までの長さＧ１・Ｇ２が異なる２種類の第１リブ４１、および第２リブ４２でテンションコーム２６を構成した。第１リブ４１は二等辺三角形状に構成し、第２リブ４２は正三角形状に構成した。各リブ４１・４２は、一定の隣接ピッチで直線列状に配置した。このテンションコーム２６によれば、長さＧ１が大きな第１リブ４１で髪の横ずれを防止しながら、髪に通過抵抗を付与できる。
【００５２】
図１５においては、ダイヤ形状に形成した１種類の第１リブ４１のみでテンションコーム２６を構成した。この場合の第１髪導入路４４と第２髪導入路４６との隘路部４５からの突出寸法Ｇ・Ｈは同じ寸法とした。このテンションコーム２６によれば、ブローブラシ２を矢印Ｍ方向と逆方向とに回転操作して、往復でカール処理を行なうことができる。
【００５３】
図１６においては、隘路部４５から入口端までの長さＧ１・Ｇ２と、隘路部４５から出口端までの長さＨ１・Ｈ２が異なる、２種類のダイヤ形状の第１リブ４１、および第２リブ４２でテンションコーム２６を構成した。このテンションコーム２６によれば、往復でカール処理を行なうことができるうえ、長さＧ１・Ｈ２が大きな各リブ４１・４２で髪の横ずれを防止できる。
【００５４】
図１７においては、菱形の１種類の第１リブ４１のみでテンションコーム２６を構成した。この場合の隘路部４５のリブ幅寸法Ｂと第１リブ４１の前後長さＣは同じに設定した。
【００５５】
図１８においては、基本的に図１１と同様にダイヤ形状に形成した１種類の第１リブ４１のみでテンションコーム２６を構成するが、隘路部４５を平行な面壁で構成して、その髪通過方向の長さを大きくした。このように隘路部４５の髪通過方向の長さを大きく設定すると、隘路部４５を通過する髪に対してより大きな通過抵抗を付与して、髪に作用する張力を大きくできる。
【００５６】
図１９においては、十文字状の１種類の第１リブ４１のみでテンションコーム２６を構成して、隣接するリブから対向する向きに張り出した幅狭のリブ６０の間に隘路部４５を形成するようにした。この場合の第１髪導入路４４と第２髪導入路４６は、各第１リブ４１の隣接面においてＬ字状あるいは逆Ｌ字状に形成される。
【００５７】
図２０においては、４枚の花弁を十文字状に配置した１種類の第１リブ４１のみでテンションコーム２６を構成して、隣接する第１リブ４１から対向する向きに張り出した花弁６１の間に隘路部４５を形成するようにした。
【００５８】
図２１においては、前後に長い直線状の第１リブ４１を斜めに配置してテンションコーム２６を構成した。そこでは、隣接する第１リブ４１の入口端および出口端によって隘路部４５が形成され、隣接する第１リブ４１の一方の面が第１髪導入路４４として機能し、他方の面が第２髪導入路４６として機能する。
【００５９】
図２２においては、前後に長い直線状の第１リブ４１を、交互に逆向きに傾斜する状態で斜めに配置してテンションコーム２６を構成した。そこでは、隣接する第１リブ４１の間に、逆ハ字状の第１髪導入路４４と、ハ字状の第２髪導入路４６とが交互に形成される。
【００６０】
図２３においては、逆Ｓ字状に湾曲する第１リブ４１を一定間隔おきに配置してテンションコーム２６を構成した。そこでは、隣接する第１リブ４１の間に突出する一対の突弧部分で隘路部４５を形成している。また、各突弧部分が第１髪導入路４４と第２髪導入路４６として機能する。
【００６１】
図２４においては、直線状の第１リブ４１を山谷状に配置して、谷部分に位置するリブ６２と、このリブ６２を間に挟む一対のリブ６３との間に隘路部４５を設けるようにした。隘路部４５を通過する髪は、谷部分に位置するリブ６２に邪魔されて、一対のリブ６３と谷部分のリブ６２との間のいずれか一方へ案内されて通過抵抗を受ける。また、谷部分のリブ６２以外の第１リブ４１は第１髪導入路４４として機能する。髪を逆向きに梳く場合には、山部分に位置するリブを間に挟む一対のリブ６３の間が隘路部４５となる。
【００６２】
図２５においては、逆Ｖ字状の第１リブ４１を一定間隔おきに配置してテンションコーム２６を構成し、各リブ４１の間に隘路部４５を設けるようにした。また、各リブ４１の表面に溝６４を設けて、第１リブ４１の外面に位置する髪を各溝６４で梳き流すようにした。
【００６３】
上記の各種形状のリブは、２種以上が混在する状態でリブ列を構成することができる。
【００６４】
上記の実施例では、隘路部４５をブローブラシ２の軸方向に直線列状に並ぶように配置して、各リブの隘路部４５からの前後長さを大小に異ならせたが、隘路部４５は直線列状に配置する必要はない。その場合の隘路部４５は、前後にずれた状態で設けて、隘路部４５を結ぶ仮想線が、波形や階段状に連続するように各リブを配置することができる。各リブにおける隘路部４５からの長さ（Ｇ寸法およびＨ寸法）や、ブラシ枠２５の側面からの突出寸法（Ｌ寸法）は、個々のリブごとにランダムに設定することができ、あるいは複数のリブで構成されるリブ対ごとに異なっていてもよい。
【００６５】
上記の実施例では、テンションコーム２６をブラシベース３０と一体に形成したがその必要はなく、帯状のリブベースと、リブベースの外面に一体に形成される一群のリブとで、独立した部品として構成することができる。その場合には、テンションコーム２６をブラシベース３０やブラシ枠２５の側面に接着固定する。テンションコーム２６の配置位置はブラシ枠２５の側面であればよく、実施例で説明した位置より前側、あるいは後側に配置することができる。この発明においては、ブラシ枠２５を前後に二分する垂直平面を想定するとき、垂直平面から前４５度および後４５度の範囲内のブラシ枠２５の周面をブラシ枠２５の側面とする。
【００６６】
テンションコーム２６を構成する各リブ４１〜４３は、シリコン樹脂で形成する必要はなく、ゴム、プラスチック、樹脂系エラストマー等で形成することができる。セッター本体１の吹出口８側に設けた放電体９は省略することができ、その場合には、ブラシ枠２５の内部に温風をより大量に送給して、その吹出口２３から吹き出す温風で髪を速やかに加熱できる。上記の各実施例においては、セッター本体（ドライヤー）１に装着されるブローブラシ２にテンションションコーム２６を設けたが、その必要はない。例えば、ヒーターや送風装置を備えていないヘアーブラシに、本発明のテンションコームを付加して使用することができる。その場合には、片方の手にドライヤーを持ち、もう一方の手にテンションコームが付加されたヘアーブラシを持ってブラッシングを行なうことにより、上記と同様にしてヘアーセットを行なうことができる。
【符号の説明】
【００６７】
１  セッター本体
２  ブローブラシ
２３  吹出口
２４  ブリッスル
２５  ブラシ枠
２６  テンションコーム
３０  ブラシベース
３４  逃げ凹面
４１  第１リブ
４２  第２リブ
４３  第３リブ
４４  第１髪導入路
４５  隘路部
４６  第２髪導入路
５０  髪梳き通路
【図１】
2011183221.tif 000003
【図２】
2011183221.tif 000004
【図３】
2011183221.tif 000005
【図４】
2011183221.tif 000006
【図５】
2011183221.tif 000007
【図６】
2011183221.tif 000008
【図７】
2011183221.tif 000009
【図８】
2011183221.tif 000010
【図９】
2011183221.tif 000011
【図１０】
2011183221.tif 000012
【図１１】
2011183221.tif 000013
【図１２】
2011183221.tif 000014
【図１３】
2011183221.tif 000015
【図１４】
2011183221.tif 000016
【図１５】
2011183221.tif 000017
【図１６】
2011183221.tif 000018
【図１７】
2011183221.tif 000019
【図１８】
2011183221.tif 000020
【図１９】
2011183221.tif 000021
【図２０】
2011183221.tif 000022
【図２１】
2011183221.tif 000023
【図２２】
2011183221.tif 000024
【図２３】
2011183221.tif 000025
【図２４】
2011183221.tif 000026
【図２５】
2011183221.tif 000027